【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
第１利用者端末、第２利用者端末、および、該利用者端末それぞれとデータ通信可能な管理装置、からなる番組データ配信システムであって、
前記第１利用者端末は、
ユーザの操作を受けて所定の放送番組の録画予約を行う録画予約手段と、
前記録画予約手段により録画予約が行われた際に、該録画予約した旨を通知するための予約終了データを前記管理装置へと送信する予約通知手段と、
前記録画予約手段により録画予約された放送番組を、該録画予約に係る設定に基づいて録画した番組データを生成し、該番組データを保存する番組録画手段と、
前記管理装置から、所定の放送番組を特定可能であり、かつ、該放送番組の番組データの送信を要求するための送信要求データを受信した際に、前記番組録画手段により保存された番組データのうち、その送信要求データで特定される放送番組を録画してなる番組データを前記管理装置に送信する番組送信手段と、を備え、
前記第２利用者端末は、
当該第２利用者端末において選択された放送番組を特定可能な前記送信要求データを前記管理装置へと送信する要求送信手段と、
前記要求送信手段による送信要求データの送信後、前記管理装置から前記番組データを受信した以降に、該番組データに基づいて放送番組を再生する再生手段と、を備え、
前記管理装置は、
前記第１利用者端末から前記予約終了データを受信した際に、該予約終了データの送信元である第１利用者端末を登録する端末登録手段と、
前記第２利用者端末から前記送信要求データを受信した際に、該送信要求データを前記端末登録手段により登録された前記第１利用者端末に送信する要求送信手段と、
前記要求送信手段による送信要求データの送信後、前記第１利用者端末から前記番組データを受信した際に、該番組データを、前記第２利用者端末に送信するデータ送信手段と、を備えている
ことを特徴とする番組データ配信システム。
【請求項２】
前記管理装置は、
前記第１利用者端末から受信した前記予約終了データに基づいて、該予約終了データで示される放送番組の番組データが前記第１利用者端末にて生成されることを特定する生成特定手段と、
前記第２利用者端末から放送番組のリストを要求された際に、前記生成特定手段により特定された放送番組が配信可能な放送番組として示されたリストを、前記第２利用者端末へ配信するリスト配信手段と、を備え、
前記リスト配信手段によりリストを配信した前記第２利用者端末から、そのリストに含まれるいずれかの放送番組を特定可能な前記送信要求データを受信した際に、前記要求送信手段により、その送信要求データを前記第１利用者端末へ送信する、ように構成され、
前記第２利用者端末は、
前記管理装置に対して放送番組のリストを要求するリスト要求手段と、
前記リスト要求手段による要求後、前記管理装置から放送番組のリストを受信した際に、該リストで示される放送番組のうち、いずれかの放送番組を利用者に選択させる番組選択手段と、を備え、
前記番組選択手段にて選択させた放送番組を特定可能な前記送信要求データを、前記要求送信手段により前記管理装置へと送信する、ように構成されている
ことを特徴とする請求項１に記載の番組データ配信システム。
【請求項３】
請求項１または請求項２に記載の第２利用者端末の有する全ての手段を備えている
ことを特徴とする端末装置。
【請求項４】
請求項１または請求項２に記載の管理装置の有する全ての手段を備えている
ことを特徴とする管理装置。
【請求項５】
コンピュータを、請求項１または請求項２に記載の第２利用者端末の有する全ての手段として機能させるためのプログラム。
【請求項６】
コンピュータを、請求項１または請求項２に記載の管理装置の有する全ての手段として機能させるためのプログラム。
【手続補正２】
【補正対象書類名】明細書
【補正対象項目名】発明の名称
【補正方法】変更
【補正の内容】
【発明の名称】番組データ配信システム、端末装置、管理装置およびプログラム
【手続補正３】
【補正対象書類名】明細書
【補正対象項目名】０００５
【補正方法】変更
【補正の内容】
【０００５】
上記問題を解決するため第１の構成に係る番組データ配信システムは、
放送番組を録画して番組データとして保存する録画機能を有する録画装置と、
前記番組データに基づいて放送番組を再生する再生機能を有する再生装置と、
前記録画装置および前記再生装置との間でデータ通信可能な管理装置とを備える番組データ配信システムであって、
前記管理装置が、前記録画装置により録画された放送番組である録画済番組をデータベースに登録しており、
前記再生装置が、利用者の操作を受けて放送番組のリストの配信を前記管理装置に要求した際に、該管理装置が、前記データベースに登録されている前記録画済番組を含む放送番組のリストを当該再生装置へ配信して、
放送番組のリストを受信した前記再生装置が、利用者の操作を受けて当該放送番組のリストに含まれる前記録画済番組の視聴を前記管理装置に要求した際に、該管理装置が、前記再生装置から視聴を要求された前記録画済番組の前記番組データの送信を前記録画装置に要求して、該録画装置が、前記管理装置から要求された前記番組データを前記管理装置に送信して、該管理装置が、前記録画装置から送信されてきた前記番組データを当該再生装置へ配信する
ことを特徴とする。
【手続補正４】
【補正対象書類名】明細書
【補正対象項目名】０００８
【補正方法】変更
【補正の内容】
【０００８】
また、上述した管理装置は、録画装置により録画された放送番組である録画済番組をデータベースに登録しているが、このように録画済番組をデータベースに登録するための構成は特に限定されない。例えば、第２に係る構成のように、
前記録画装置が、放送番組を録画する際に、少なくとも録画する放送番組を特定可能な特定データを前記管理装置に送信して、
前記特定データを受信した管理装置が、当該特定データで特定される放送番組を前記データベースに登録し、その後、該データベースに登録されている１以上の放送番組のうち放送が終了した放送番組を前記録画済番組とするといった構成を考えることができる。
【手続補正５】
【補正対象書類名】明細書
【補正対象項目名】００１１
【補正方法】変更
【補正の内容】
【００１１】
ところで、上述したデータベースには、録画済番組だけでなく、録画装置によって録画される予定の放送番組も登録されている。そのため、第３の構成に係る番組データ配信システムのように、
前記再生装置から放送番組のリストを要求された前記管理装置が、前記データベースに登録されている放送番組のうち放送が終了していない放送番組について、該放送番組が録画される予定の放送番組である旨が記載された放送番組のリストを当該再生装置に配信するように構成するとよい。
【手続補正６】
【補正対象書類名】明細書
【補正対象項目名】００１３
【補正方法】変更
【補正の内容】
【００１３】
なお、上述した第２または第３の構成に係る番組データ配信システムにおいては、１以上の録画装置を備えていればよいが、特に、複数の録画装置を備えている場合、第４の構成に係る番組データ配信システムのように、
複数の前記録画装置を備えており、
前記録画装置が、放送番組を録画する際に、少なくとも録画する放送番組と前記録画装置自身とを特定可能な特定データを前記管理装置に送信して、
前記特定データを受信した前記管理装置が、当該特定データで特定される放送番組および前記録画装置を対応づけた状態で前記データベースに登録し、該データベースに登録されている１以上の放送番組のうち放送が終了した放送番組を前記録画済番組としていき、その後、放送番組のリストの配信を前記再生装置から要求された際に、前記データベースに登録されている１以上の放送番組のうち前記録画済番組を含む放送番組のリストを当該再生装置へ配信して、
放送番組のリストを受信した前記再生装置が、利用者の操作を受けて当該放送番組のリ
ストに含まれる前記録画済番組の視聴を前記管理装置に要求した際に、該管理装置が、前記データベースに登録されている前記録画装置のうち、前記再生装置から視聴を要求された前記録画済番組に対応する前記録画装置に、前記番組データの送信を要求するように構成するとよい。
【手続補正７】
【補正対象書類名】明細書
【補正対象項目名】００１６
【補正方法】変更
【補正の内容】
【００１６】
また、録画済番組をデータベースに登録するための別の構成として、第５の構成のように、
前記録画装置が、放送番組を録画した際に、少なくとも録画した放送番組である前記録画済番組を特定可能な特定データを前記管理装置に送信して、
前記特定データを受信した前記管理装置が、当該特定データで特定される前記録画済番組をデータベースに登録するといった構成を考えることができる。
【手続補正８】
【補正対象書類名】明細書
【補正対象項目名】００１７
【補正方法】変更
【補正の内容】
【００１７】
このように構成された番組データ配信システムによれば、録画装置から送信される特定データに基づいて、録画済番組をデータベースに登録することができる。
なお、上述した第５の構成に係る番組データ配信システムにおいては、１以上の録画装置を備えていればよいが、特に、複数の録画装置を備えている場合、第６の構成に係る番組データ配信システムのように、
複数の前記録画装置を備えており、
前記録画装置が、放送番組を録画した際に、少なくとも録画した放送番組である前記録画済番組と前記録画装置自身とを特定可能な特定データを前記管理装置に送信して、
前記特定データを受信した前記管理装置が、当該特定データで特定される前記録画済番組および前記録画装置を対応づけた状態で前記データベースに登録し、その後、放送番組のリストの配信を前記再生装置から要求された際に、前記データベースに登録されている前記録画済番組を含む放送番組のリストを当該再生装置へ配信して、
放送番組のリストを受信した前記再生装置が、利用者の操作を受けて当該放送番組のリストに含まれる前記録画済番組の視聴を前記管理装置に要求した際に、該管理装置が、前記データベースに登録されている前記録画装置のうち、前記再生装置から視聴を要求された前記録画済番組に対応する前記録画装置に、前記番組データの送信を要求するように構成するとよい。
【手続補正９】
【補正対象書類名】明細書
【補正対象項目名】００１９
【補正方法】変更
【補正の内容】
【００１９】
また、第７の構成に係る番組データ配信システムは、
放送番組のリストを受信した前記再生装置が、利用者の操作を受けて放送番組のリストを構成する放送番組の録画を前記管理装置に依頼した後、該管理装置が、前記再生装置から録画を依頼された放送番組を録画依頼番組としてデータベースに登録しておき、
その後、前記録画装置が、利用者の操作を受けて放送番組のリストの配信を前記管理装置に要求した際に、該管理装置が、前記データベースに登録されている前記録画依頼番組を含む放送番組のリストであって、該録画依頼番組の録画を依頼する旨が記載された放送番組のリストを当該録画装置へ配信する
ことを特徴とする。
【手続補正１０】
【補正対象書類名】明細書
【補正対象項目名】００２３
【補正方法】変更
【補正の内容】
【００２３】
また、第８の構成に係る番組データ配信システムは、
放送番組を録画して番組データとして保存する録画機能を有する管理装置と、
前記番組データに基づいて放送番組を再生する再生機能を有する複数の再生装置とを備え、
前記管理装置が前記再生装置とデータ通信可能に構成された番組データ配信システムであって、
前記複数の再生装置のうちいずれかの前記再生装置が、利用者の操作を受けて放送番組のリストの配信を前記管理装置に要求した際に、該管理装置が、１以上の放送番組で構成される放送番組のリストを当該再生装置へ配信して、
放送番組のリストを受信した前記再生装置が、利用者の操作を受けて放送番組のリストを構成する放送番組の録画を前記管理装置に要求した後、該管理装置が、前記再生装置から録画を要求された放送番組を録画して前記番組データとして保存すると共に、当該録画した放送番組を録画済番組としてデータベースに登録して、
その後、前記複数の再生装置のうちいずれかの前記再生装置が、利用者の操作を受けて放送番組のリストの配信を前記管理装置に要求した際に、該管理装置が、前記データベースに登録されている前記録画済番組を含む放送番組のリストを当該再生装置へ配信して、
放送番組のリストを受信した前記再生装置が、利用者の操作を受けて放送番組のリストに含まれる前記録画済番組の視聴を前記管理装置に要求した際に、該管理装置が、前記再生装置から視聴を要求された前記録画済番組の前記番組データを当該再生装置へ配信する
ことを特徴とする。
【手続補正１１】
【補正対象書類名】明細書
【補正対象項目名】００２６
【補正方法】変更
【補正の内容】
【００２６】
また、第９の構成に係る番組データ配信システムは、
前記再生装置が、２以上の異なる放送地域のうちいずれかの放送地域で放送される放送番組のリストを前記管理装置に要求した際に、該管理装置が、前記再生装置から要求された放送地域で放送される放送番組のリストを当該再生装置へ配信する
ことを特徴とする。
【手続補正１２】
【補正対象書類名】明細書
【補正対象項目名】００２７
【補正方法】変更
【補正の内容】
【００２７】
この番組データ配信システムにおける放送地域とは、例えば、テレビなどの地上波放送において同一の放送番組が放送される地域のことである。
このように構成された番組データ配信システムによれば、再生装置を利用する利用者は、自身の居住する放送地域とは異なる放送地域における放送番組のリストの配信を受けることができる。そのため、このような放送地域における放送番組のリストの中に、利用者が視聴を希望する録画済番組が含まれている場合、利用者は、この録画済番組の番組データを入手することができる。さらに、第７の構成のように放送番組の録画を依頼できる構成であれば、自身の居住する放送地域と異なることから録画することができない放送番組の録画を依頼することができる。